(57)【要約】【課題】壁パネル組立時において、大型クリップ等で仮固定する煩雑な作業を行うことなく、壁パネルの転倒を防止することができる壁パネルの接続構造を提供する。【解決手段】床面の少なくともコーナーに立設された支柱と、隣接する上記支柱の頂部を連結する支柱連結材と、上記支柱間に架設される壁パネルとを備えるユニットルームの壁パネル接続構造において、上記壁パネルの頂部に係合部が設けられ、上記支柱連結材に該係合部に係合可能な係止部が設けられる。【選択図】  図５
2007247147.tif 000002
【特許請求の範囲】
【請求項１】
床面の少なくともコーナーに立設された支柱と、隣接する上記支柱の頂部を連結する支柱連結材と、上記支柱間に架設される壁パネルとを備えるユニットルームの壁パネル接続構造において、
上記壁パネルの頂部に係合部が設けられ、上記支柱連結材に該係合部に係合可能な係止部が設けられたことを特徴とするユニットルームの壁パネル接続構造。
【請求項２】
前記係止部は、先端に前記係合部を呼び込ませる呼び込み部が延設されたことを特徴とする請求項１記載のユニットルームの壁パネル接続構造。
【請求項３】
前記壁パネルは、頂部に天井接続ピースを介して天井パネルが載設され、上記天井接続ピースに係合部が設けられ、上記支柱連結材に該係合部に係合可能な第２の係止部が設けられたことを特徴とする請求項１及び２のいずれかに記載のユニットルームの壁パネル接続構造。
【発明の詳細な説明】
【技術分野】
【０００１】
本発明は、浴室等のユニットルームの壁面を構成する壁パネルの接続構造に係り、特に立設された支柱とこの支柱の頭部を連結する支柱連結材とでフレームを形成し、このフレームに壁パネルを固定する形式のユニットルームにおける壁パネルの接続構造に関する。
【背景技術】
【０００２】
浴室ユニットの壁面を構成する壁パネルの組立構法として、図９に示すように、浴室ユニット１０１の床パン１０２上の各コーナー部にコーナー支柱１０３を立設し、これらコーナー支柱１０３の内、隣接するコーナー支柱１０３，１０３の頂部間を支柱連結材１０４を用いて接続した後、支柱連結材１０４上のいずれかの箇所において、床パン１０２及び支柱連結材１０４間に一又は複数の平支柱１０５を架設することによりフレームを形成して、これらコーナー支柱１０３及び平支柱１０５間、又は平支柱１０５，１０５同士の間に壁パネル１０６を固定する構法が広く行われている。
【０００３】
この支柱１０３，１０５は、室内側に開口する略Ｕ字状に折曲形成され、壁パネル１０６は、支柱１０３，１０５のこの凹部に、略Ｌ字状に折曲された壁パネル１０６の端部を差し込むことにより取り付けられる。
【０００４】
そして、支柱連結材１０４は、壁パネル１０６組立時において支柱１０３，１０５の倒れを防止するものであって、支柱連結材１０４と壁パネル１０６とは直接連結されていない（例えば、特許文献１参照。）。
【０００５】
したがって、支柱１０３，１０５の両側に壁パネル１０６が配設されて初めて壁パネル１０６が支柱に固定されるのであり、片側の壁パネル１０６のみ取り付けられた段階では、単に支柱１０３，１０５に持たせ掛けられただけであって、未だ固定された状態ではない。そのため、壁パネル１０６組立時においては、図９に示すように、壁パネル１０６上端及び支柱連結材１０４を大型クリップ１０７等で挟持して仮固定し、壁パネル１０６が倒れることを防止する処置を施しながら組み立てる必要がある。
【０００６】
また、このフレーム形式の構法の中には、壁面中間に平支柱を設けず、コーナー支柱間に壁パネルを上下に複数架設する横積み構造のものがある。その中にはさらに、コーナー支柱の上下に亘り、複数のスリットを設ける一方、複数の楔状の係入片を有するコーナー目地を備え、斯かるスリットに係入片を係入させてコーナー支柱とコーナー目地とにより壁パネルを挟持する構造のものがある。
【０００７】
この構造によれば、ビス止めやボルト締め等の工程がないので工数が減少し、工期の短縮、延いてはコストの低減が図れるというメリットがあるが、係入片とスリット周りとの摩擦のみで固定されるので、組立完了後であっても、地震等により上下にカが作用した場合に、係入片がスリットから外れ、壁パネルが落下する危険性がある。
【特許文献１】特開平１１−１５９１６６号公報
【発明の開示】
【発明が解決しようとする課題】
【０００８】
本発明は、上述した事情を考慮してなされたもので、壁パネル組立時において、大型クリップ等で仮固定する煩雑な作業を行うことなく、壁パネルの転倒を防止することができる壁パネルの接続構造を提供することを目的とするものである。
【０００９】
本発明の他の目的は、ビス等を用いない固定方法による壁パネルの横積み構造であっても、地震時等に壁パネルが外れて落下することのない壁パネルの接続構造を提供することにある。
【課題を解決するための手段】
【００１０】
本発明に係る壁パネル接続構造は、上述した課題を解決するために、請求項１に記載したように、床面の少なくともコーナーに立設された支柱と、隣接する上記支柱の頂部を連結する支柱連結材と、上記支柱間に架設される壁パネルとを備えるユニットルームの壁パネル接続構造において、上記壁パネルの頂部に係合部が設けられ、上記支柱連結材に該係合部に係合可能な係止部が設けられたものである。
【００１１】
前記係止部は、好適には、請求項２に記載したように、先端に前記係合部を呼び込ませる呼び込み部が延設されることが望ましい。
【００１２】
また、前記壁パネルは、より好適には、請求項３に記載したように、頂部に天井接続ピースを介して天井パネルが載設され、上記天井接続ピースに係合部が設けられ、上記支柱連結材に該係合部に係合可能な第２の係止部が設けられたものとしてもよい。
【発明の効果】
【００１３】
本発明に係る壁パネル接続構造によれば、壁パネル組立時において、大型クリップ等で仮固定する煩雑な作業を行うことなく、壁パネルの転倒を防止することができる。
【００１４】
また、本発明は、ビス等を用いない固定方法による壁パネルの横積み構造であっても、地震時等に壁パネルが外れて落下することを防止できる効果が得られる。
【発明を実施するための最良の形態】
【００１５】
本発明に係る浴室ユニット支柱立設構造の実施の形態について、添付図面を参照して説明する。図１は、本発明に係る浴室ユニット支柱立設構造を採用した壁パネル取付フレームの概要を示す斜視図であり、図２は、壁パネルが取り付けられた状態の支柱立設構造の部分横断面図である。
【００１６】
本実施形態に示された浴室ユニット１の床パン１０は、洗い場部１５と浴槽載置部１６とに大別される。洗い場部１５は、ＢＭＣやＳＭＣ等のＦＲＰで成形され、浴槽載置部１６と対向する辺以外の三方の外縁は、図示しない壁パネルやドア枠を載置可能に同一レベルに形成され、浴槽載置部１６と対向する辺の中央に設けられた排水凹部１７を指向して下り勾配が形成されている。
【００１７】
浴槽載置部１６は、ＥＰＰ、ＥＰＥ等のプラスチック系の材料を発泡成形させた断熱材で形成され、漏水を防止する外、浴槽内に溜められた湯の熱が浴槽裏面から伝導、放射することを防止する。この浴槽載置部１６は、図示しない浴槽の底面に位置する底部１６ａと、洗い場部１５に対向する側を除く三方に、この底部の外縁から延出し浴槽の上端周囲が外方へ拡開延出するリムの高さ近くまで立設された側部１６ｂとを備える。なお、この浴槽載置部１６は、従来の床パンのように、洗い場部１５と浴槽載置部１６とがＦＲＰで一体の形成されたものであってもよい。
【００１８】
同図に示すように、洗い場部１５及び浴槽載置部１６上の各出隅部には、コーナー支柱２０が立設され、隣接するコーナー支柱２０，２０の頂部には、支柱連結材４０が架設される。そして、この支柱連結材４０上のいずれかの箇所において、床パン１０及び支柱連結材４０間に平支柱３０が立設される。この平支柱３０は、浴室ユニット１の大きさ等に従って、一の壁面内に２又はそれ以上の本数が立設されることもある。
【００１９】
平支柱３０は、図２に示すように、亜鉛めっき鋼板やステンレス鋼板等を、背面３２及び側面３３，３３からなる断面視溝型に折曲し、側面３３，３３の両端部を夫々更に内側に折曲して壁パネル５０表面側内方へ突出した凸部３４を形成し、向い合う凸部３４，３４間に開口部ＯＰを設けた構成になっている。
【００２０】
壁パネル５０の室内側の表面材５１は化粧鋼板等で、また、室外側の裏面材５２は鋼板等で形成され、両者は、両側縁部を除いてプラスターボード、石綿、グラスウール等の芯材５３に貼着され一体化される。
【００２１】
表面材５１は、側縁部を背面方向（室外側）へ略直角に折曲げた折曲片５４と、この折曲片５４の先端を更に室内側内方に折曲した折返し部５５を形成する。このように形成した隣接する壁パネル５０の折曲片５４，５４同士を平支柱３０の開口部ＯＰ内に圧入すると、折返し部５５によって、平支柱３０の凸部３２と壁パネル５０の折曲片５４との間の隙間を埋めるので、折曲片５４同士間に隙間を生じることなく、壁パネル５０を平支柱３０に取り付けることができる。
【００２２】
また、平支柱３０の凸部３４を有する開口部ＯＰ内に、ＡＢＳ樹脂等で形成した略逆Ω字型のジィナー５６を嵌合させ、その開口部ＯＰに壁パネル５０の折曲片５４及び折返し部５５からなる側縁部を圧入する。この時平支柱３０の凸部３４、ジョイナ−５６の側面、及び壁パネル５０の折り返し部５５は、図２に示すように、それぞれ重なりあった部分が弾性変形する。これにより、平支柱３０の凸部３２と壁パネル５０の折返し部５５がジョイナー５６を介して衝合され、鋼板等で形成された平支柱３０、及び壁パネル５０の折返し部５５それぞれの弾性により、強固に嵌合係止される。 
また、ジョイナー５６が、同図に示すように、袋状になって、平支柱３０の凸部３２と壁パネル５０の折返し部５５とが嵌合係止されているので、これより奥に水が浸入する虞がない。なお、５７は弾性樹脂のシール片で、ジョイナー５６の水密性をより完全なものとしている。
【００２３】
コーナー支柱２０は、図３に示すように、細長い、例えば亜鉛メッキ鋼板等を折曲加工したもので、その短手方向断面は、中央のコーナー目地掛合部３０ａと、このコーナー目地掛合部３０ａの両側端で４５度の角度で折曲された壁パネル受け部３０ｂ，３０ｂとからなる。コーナー目地掛合部３０ａには、所定の間隔で、コーナー目地材２６の係入片２０ｄが係入される複数のスリット３０ｄが穿設されている。
【００２４】
コーナー目地材２６は、図３に示すように、目地本体２６ａと、支持部２６ｃとを備える。目地本体２６ａは、ＡＢＳ樹脂等の硬質プラスチックを細長い略三角柱状に成形したものであり、壁パネル５０と、直交するもう一方の壁パネル５０との突き合わせ端部を掩蔽し、水密性及び意匠性を高めるものである。
【００２５】
支持部２６ｃは、例えばステンレス鋼板を２つに折曲して断面が略Ｙ字状の棒体に形成される。支持部２６ｃには、一定の間隔で係入片２６ｄが複数突設される。この係入片２６ｄが、コーナー支柱２０に穿設されたスリット２０ｄに係入されることにより、壁パネル５０がコーナー目地材２６及びコーナー支柱２０に挟持される。
【００２６】
コーナー目地材２６の係入片２６ｄを、コーナー支柱２０のスリット２０ｃに係入させて、コーナー目地材２６を取り付けると、図４に示すように、壁パネル５０，５０Ａは、コーナー支柱２０とコーナー目地材２６とに挟持され、堅固に固定される。
【００２７】
図５に本願発明に係る壁パネル接続構造の一例を示す。この例では、壁パネル５０の表面材５１上端は室外側へ略逆Ｖ字状に折曲され、係合部５１ａが形成される。
【００２８】
支柱連結材４０は、亜鉛めっき鋼板やステンレス鋼板等から折曲形成され、コーナー支柱２０又は平支柱３０にビス４１によりビス止めされる取付部４０ａと、取付部４０ａの上部から室内側に弧状に折曲された係止部４０ｂと、係止部４０ｂの先端から逆方向に折曲延設された呼び込み部４０ｃとからなる。
【００２９】
壁パネル５０取付時には、壁パネル５０を斜めに保持しつつ、係合部５１ａを支柱連結材４０の係止部４０ｂに挿入した後、壁パネル５０を起こして、壁パネル５０の下方をコーナー支柱２０足元に当接させる、又は平支柱３０の開口部ＯＰ内に挿入する。
【００３０】
この状態で、係合部５１ａは係止部４０ｂの係合され、壁パネル５０が仮固定されるので、別途大型クリップ等を用いて仮固定をしなくても倒れることはない。それでいて、係合部５１ａ及び係止部４０ｂは共に弾性変形可能に形成されているので、取り外すことも容易に行うことができ、壁パネル交換時における解体の容易性及び安全性が向上する。
【００３１】
そして、係止部４０ｂの先端に設けられた呼び込み部４０ｃによって、壁パネル５０頂部の係合部５１ａが呼び込まれるので、係合部５１ａと係止部４０ｂとの係合がより容易に行うことができ、施工性が向上する。
【００３２】
また、従来の構造のように、支柱連結材４０と壁パネル５０裏面とが直接接触しないので、壁パネルが揺れる時などに生じる音鳴りが生ぜず、したがって、音なりを防止する緩衝材等を支柱連結材４０／壁パネル５０裏面間に挟装する必要もない。
【００３３】
さらに、支柱連結材４０と壁パネル５０とは、上端で係合されるので、壁パネル５０の左右で係合させる場合のように係合部が左右に突出することがなく、浴室内のスペースを狭めることなく壁パネル／建築躯体間のスペースを確保することができる。
【００３４】
こうして壁パネル５０が仮固定されると、時計回り或いは半時計回りに順次壁パネル５０を取り付けていき、平支柱３０にあっては、両側に位置する壁パネル５０，５０が取り付けられた時点で、コーナー支柱２０にあってはコーナー目地材２６が取り付けられた時点で本固定される。
【００３５】
そして、壁パネル４上には、天井パネル６０が、事前に天井パネル６０にボルト６３を用いて取り付けられている天井接続材６１を介して取り付けられる。天井接続材６１は、硬質合成樹脂等を、押出成形して形成される。
【００３６】
そして、天井接続材６１は、ビス４２により、壁パネル５０に本固定され、天井接続材６１と壁パネル５０との接続部には、その全周に亘って回り縁６２が取り付けられ目隠しされる。この取付は、回り縁６２の嵌合凸部６２ａを、天井接続材６１の嵌合凹部６１ａに嵌挿して行われる。そして、硬質合成樹脂等を押出成形して形成された回り縁６２の壁側及び天井側の両端に接着された軟質合成樹脂製等のヒレ部６２ｂが、壁パネル５０及び天井パネル６０に凹圧され屈曲して、回り縁６２と壁パネル５０及び天井パネル６０との間の隙間は封止される。
【００３７】
次に、本発明に係る壁パネル接続構造の変形例について、図６を参照して説明する。本変形例に係る接続構造は、同図に示すように、天井接続材６１が、その下端近傍に、室内側へ突出する係合部６１ｂを備えるとともに、支柱連結材４０は、係合部６１ｂに係合する第２の係合部４０ｄを備える点で、本実施形態におけるものと基本的に相違し、他の構成は本実施形態と実質的に同じであり、同じ符号を付して説明を省略する。
【００３８】
このように、壁パネル表面側のビス４２によるビス止めに加え、壁パネル５０裏面側で支柱連結材４０と天井接続材６１とを係合させるので、壁パネル５０、支柱連結材４０及び天井パネル６０が一体となり、ユニットの強度を上げることができる。
【００３９】
続いて、本発明に係る壁パネル接続構造の第２の実施形態について、図７及び８を参照して説明する。図７は、本発明に係る壁パネルを構成要素とする浴室ユニットＡの全体的な概要を示すものである。本実施形態に示された浴室ユニット１Ａは、同図に示すように、コーナー支柱２０，２０間に壁パネル５０Ａを上下に複数架設する、所謂横積み構造を採用する点で、第１の実施形態におけるものと基本的に相違する。したがって、平支柱３０を設ける必要はない。他の構成は第１の実施形態と実質的に同じであり、同じ符号を付して説明を省略する。
【００４０】
浴室ユニット１Ａの壁面は、下段の壁パネル５０Ａと、その上に載置された上段の壁パネル５０Ａとから構成される。壁パネル５０Ａは、図８に示すように、壁パネル５０同様、壁パネル５０Ａの表面材５１上端は室外側へ略逆Ｖ字状に凸出して折曲され、係合部５１ａが形成される。一方、壁パネル５０Ａの表面材５１下端は室外側へ略逆Ｖ字状に凹陥して折曲され、係止部５１ｂが形成される。
【００４１】
上段の壁パネル５０Ａは、その係合部５１ａを下段の壁パネル５０Ａの係止部５１ｂに係合させて、下段の壁パネル５０Ａ上に載置される。そして、上段の壁パネル５０Ａの上端も、支柱連結材４０の係止部４０ｂに係合して仮固定されるので、コーナー目地材２６が取り付けられて本固定されるまでの間も、別途大型クリップ等を用いて仮固定をしなくても倒れることはない。
【００４２】
この構造によれば、ビス止めやボルト締め等が行われず、係入片２６ｄとスリット２０ｃ廻りとの摩擦力のみによって本固定される。そのため、例えば直下型地震等による上下動が生じた場合、係入片２６ｄとスリット２０との係合が緩んで、コーナー目地２６がコーナー支柱２０から外れる虞がある。この場合、従来の壁パネル接続構造では、上下の壁パネル５０Ａ，５０Ａ間の係合も外れて上段の壁パネル５０が落下することもあり得る。
【００４３】
しかしながら、本発明に係る壁パネル接続構造では、上段の壁パネル５０Ａの頂部が支柱連結材４０の係止部４０ｂにより抑えられており、両壁パネル５０Ａ，５０Ａが相対的に上下に動くことはないので、両者間の係合が外れることもなく、したがって。上段の壁パネル５０Ａが落下する虞もない。
【００４４】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００４５】
例えば、上述した実施形態では、ユニットルームとして浴室ユニットを例にとって説明したが、ユニットルームはこれに限らず、ユニットシャワールームやユニットトイレルーム等であってもよい。
【図面の簡単な説明】
【００４６】
【図１】本発明の一実施形態に係る壁パネル接続構造を示す概略斜視図。
【図２】本実施形態に係る壁パネル及び平支柱の横断面図。
【図３】コーナー支柱周りの分解斜視図。
【図４】壁パネル及びコーナー支柱の横断面図。
【図５】本実施化形態に係る壁パネル接続構造の縦断面図。
【図６】本実施形態の変形例に係る壁パネル接続構造の縦断面図。
【図７】本発明の他の実施形態に係る壁パネル接続構造を示す概略斜視図。
【図８】本実施形態に係る壁パネル接続構造の縦断面図。
【図９】従来の壁パネル取付作業を説明する図。
【符号の説明】
【００４７】
１  浴室ユニット
２  フレーム
１０  床パン
１４  壁パネル載置部
１５  洗い場部
１６  浴槽載置部
１７  排水凹部
２０  コーナー支柱
２６  コーナー目地材
３０  平支柱
４０  支柱連結材
４０ａ  係止部
４０ｄ  第２の係止部
５０  壁パネル
５１  表面材
５１ａ  係合部
５２  裏面材
５３  芯材
５４  折曲片
５５  折返し部
５６  ジョイナー
５７  シール片
６０  天井パネル
６１  天井接続材
６１ｂ  係合部
６２  回り縁
ＯＰ  開口部
【図１】
2007247147.tif 000003
【図２】
2007247147.tif 000004
【図３】
2007247147.tif 000005
【図４】
2007247147.tif 000006
【図５】
2007247147.tif 000007
【図６】
2007247147.tif 000008
【図７】
2007247147.tif 000009
【図８】
2007247147.tif 000010
【図９】
2007247147.tif 000011